(57)【要約】【課題】収納できる食器類の大きさを確保し、設置高さを低く抑え開放感の優れた食器洗い機を提供する。【解決手段】食器類９を収納すると共に上方に開口部８を設けた洗浄槽７と、洗浄槽７に回動自在に軸支され、前記開口部８を覆うように前後に配置された第１、第２の蓋体１２、１３とを備え、前方側の第１の蓋体１２の内壁の回動軌跡１２ａが、前記第１の蓋体１２の後方に配置した第２の蓋体１３の外壁の回動軌跡１３ａの外側に位置するようにしたもので、第１、第２の蓋体１２、１３の開放による設置スペースを少なくし、設置性の向上を図るとともに、対面キッチン等のオープンタイプのリビングと一体化しているキッチンに食器洗い機を設置した場合でも、収納できる食器類９の大きさを確保しつつ、設置高さが低く、開放感の優れた食器洗い機を提供することができる。【選択図】図１
2006255252.tif 000002
【特許請求の範囲】
【請求項１】
食器類を収納すると共に上方に開口部を設けた洗浄槽と、前記洗浄槽に回動自在に軸支され、前記開口部を覆うように前後に配置された複数の蓋体とを備え、前記複数の蓋体の内の前方側の第１の蓋体の内壁の回動軌跡が、前記第１の蓋体の後方に配置した第２の蓋体の外壁の回動軌跡の外側に位置するようにした食器洗い機。
【請求項２】
第１、第２の蓋体の開成時に、洗浄槽内に、前記第１の蓋体と、その内側に前記第２の蓋体を収納するようにした請求項１に記載の食器洗い機。
【請求項３】
第１、第２の蓋体の開放動作時に、前記第１の蓋体の内面に付着した水滴を除去する水滴除去手段を前記第２の蓋体に設けた請求項１又は２に記載の食器洗い機。
【請求項４】
第１、第２の蓋体の開放動作時に、洗浄槽の内面の水滴を除去する第２の水滴除去手段を、前記第１の蓋体又は前記第２の蓋体の少なくとも一方に設けた請求項１〜３のいずれか１項に記載の食器洗い機。
【請求項５】
第２の蓋体の内面の少なくとも一部に凹凸形状の傾斜面部を設けた請求項１〜４のいずれか１項に記載の食器洗い機。
【発明の詳細な説明】
【技術分野】
【０００１】
本発明は、食器等の洗浄および乾燥を行う食器洗い機に関するものである。
【背景技術】
【０００２】
従来の、この種の食器洗い機について図４を用いて説明する。
【０００３】
食器洗い機本体１は、食器類２を収容すると共に前面に開口部４を有する洗浄槽３を備え、開口部４は、上扉体５ａと下扉体５ｂとに上下に分割された蓋体５により開閉される。洗浄槽３の底部には、洗浄水を食器類２に向けて噴射する洗浄ノズル６が回転自在に配設されている。
【０００４】
食器洗い機の基本的な動作は、一般的によく知られているので、以下に簡単に述べると、使用者が蓋体５を開放し、食器洗い機本体１内の洗浄槽３に配置された食器かごに汚れた食器類２をセットする。
【０００５】
つぎに、蓋体５を閉め、運転を開始すると、洗浄槽３の底部に配置されたヒータ（図示せず）によって加熱された洗浄水が、洗浄ノズル６から食器類２に向かって噴射され、食器類２の汚れを落とす洗浄行程を行う。その後、食器類２をすすいだ後、乾燥行程を行って運転を終了する（例えば、特許文献１参照）。
【特許文献１】特開２００１−２７５９１５号公報
【発明の開示】
【発明が解決しようとする課題】
【０００６】
以上のように、上記従来の食器洗い機は、蓋体５の開放時の大きさが、設置スペースを決定するため、設置スペースを小さくする方法として、蓋体５を２分割し、下蓋体５ｂを前面、上蓋体５ａを食器洗い機本体１の上方に移動させるのが一般的であるが、蓋体５の開放時に、食器洗い機本体１より上方に移動する上蓋体５ａの開放時の高さ、すなわち食器洗い機本体１の高さに上蓋体５ａの移動分の高さを加えたものが、設置高さとなり、その設置スペースが大きくなるという課題を有していた。
【０００７】
本発明は、上記従来の課題を解決するもので、蓋体の開放による設置スペースを少なくし、設置性の向上を図るとともに、対面キッチン等のオープンタイプのリビングと一体化しているキッチンに食器洗い機を設置した場合でも、収納できる食器類の大きさを確保しつつ、食器洗い機の設置高さを低く抑えた開放感の優れた食器洗い機を提供することを目的としている。
【課題を解決するための手段】
【０００８】
前記従来の課題を解決成するために、本発明の食器洗い機は、食器類を収納すると共に上方に開口部を設けた洗浄槽と、前記洗浄槽に回動自在に軸支され、前記開口部を覆うように前後に配置された複数の蓋体とを備え、前記複数の蓋体の内の前方側の第１の蓋体の内壁の回動軌跡が、前記第１の蓋体の後方に配置した第２の蓋体の外壁の回動軌跡の外側に位置するようにしたもので、第１、第２の蓋体の開放による設置スペースを少なくし、設置性の向上を図るとともに、対面キッチン等のオープンタイプのリビングと一体化しているキッチンに食器洗い機を設置した場合でも、収納できる食器類の大きさを確保しつつ、食器洗い機の設置高さを低く抑えた開放感の優れた食器洗い機を提供することができる。
【発明の効果】
【０００９】
本発明の食器洗い機は、第２の蓋体の高さが蓋体閉成時の製品高さとなり、第１、第２の蓋体閉成時の製品高さを低くすることができると共に、第１、第２の蓋体開放時も第１の蓋体の軌跡分だけ、第１、第２の蓋体閉成時よりも大きくなるだけで、第１、第２の蓋体の開放動作による設置スペースを少なくし、設置性の向上を図るとともに、対面キッチン等のオープンタイプのリビングと一体化しているキッチンに食器洗い機を設置した場合でも、収納できる食器類の大きさを確保しつつ、設置高さが低く、開放感に優れたものである。
【発明を実施するための最良の形態】
【００１０】
第１の発明は、食器類を収納すると共に上方に開口部を設けた洗浄槽と、前記洗浄槽に回動自在に軸支され、前記開口部を覆うように前後に配置された複数の蓋体とを備え、前記複数の蓋体の内の前方側の第１の蓋体の内壁の回動軌跡が、前記第１の蓋体の後方に配置した第２の蓋体の外壁の回動軌跡の外側に位置するようにしたもので、第１、第２の蓋体の開放による設置スペースを少なくし、設置性の向上を図るとともに、対面キッチン等のオープンタイプのリビングと一体化しているキッチンに食器洗い機を設置した場合でも、収納できる食器類の大きさを確保しつつ、食器洗い機の設置高さを低く抑えた開放感の優れた食器洗い機を提供することができる。
【００１１】
第２の発明は、特に、第１の発明の第１、第２の蓋体の開成時に、洗浄槽内に、前記第１の蓋体と、その内側に前記第２の蓋体を収納するようにしたもので、蓋体開放動作時の第１、第２の蓋体の上方への移動分の設置高さが不要で、蓋体開成時でも食器洗い機本体の高さを低くし、より開放感を向上させることができる。また、上方への第１、第２の蓋体の移動がないことにより、食器類を収納した食器かごの上方への開口面積を大きくすることができ、食器類の収納および取り出し作業性を良くすることができる。
【００１２】
第３の発明は、特に、第１又は第２の発明の第１、第２の蓋体の開放動作時に、前記第１の蓋体の内面に付着した水滴を除去する水滴除去手段を前記第２の蓋体に設けたもので、洗浄行程で第１の蓋体の内面に付着した洗浄水が、食器かごに収納した食器に滴下することを防止できる。
【００１３】
第４の発明は、特に、第１〜３のいずれか１つの発明の第１、第２の蓋体の開放動作時に、洗浄槽の内面の水滴を除去する第２の水滴除去手段を、前記第１の蓋体又は前記第２の蓋体の少なくとも一方に設けたもので、洗浄槽の内面に付着した洗浄水が食器かごに収納した食器に滴下することを防止できる。
【００１４】
第５の発明は、特に、第１〜４のいずれか１つの発明の第２の蓋体の内面の少なくとも一部に凹凸形状の傾斜面部を設けたもので、洗浄工程運転時、略水平状態の角度で保持されている第２の蓋体の内面の水滴を凹凸形状の傾斜面部の最下部に集めて洗浄槽内に滴下させ、乾燥工程に入るときの第２の蓋体の内面への水滴残りを少なくすることができる。
【００１５】
以下、本発明の実施の形態について、図面を参照しながら説明する。なお、この実施の形態により本発明が限定されるものではない。
【００１６】
（実施の形態１）
図１は、本発明の第１の実施の形態における食器洗い機の断面図、図２は、同食器洗い機の第１、第２の蓋体の開成時の縦断面図、図３は、同食器洗い機の要部断面図である。
【００１７】
図１において、本実施の形態における食器洗い機の食器洗い機本体２２に内蔵された洗浄槽７は、上方に開口部８を有し、開口部８より食器類９を収容した食器かご１０が収納される。洗浄槽７の左右に、一対の軸受け部１１が形成されている。開口部８は、軸受け部１１を略中心として、前下がりに傾斜させた略平面状に形成されている。
【００１８】
また、軸受け部１１を支点として回動自在に開口部８を覆う２枚の蓋体すなわち、第１の蓋体１２と第２の蓋体１３とを設け、閉成時に前方に位置し半径の大きい第１の蓋体１２は、洗浄槽７の前面を覆い、半径の小さい第２の蓋体１３は第１の蓋体１２の後方に位置して洗浄槽７の上部を覆うよう配置されている。
【００１９】
そして、第１、第２の蓋体１２、１３の回動時に、前方側の第１の蓋体１２の内壁の回動軌跡１２ａが、第２の蓋体１３の外壁の回動軌跡１３ａの外側に位置するように配置されている。
【００２０】
第２の蓋体１３の閉成時には、第２の蓋体１３の一方は、第１の蓋体１２の後端に設けた第１の係止部１４で係止され、他方は、開口部８に設けた第２の係止部１５とで係止される。
【００２１】
また、図２に示すように、第１の蓋体１２と第２の蓋体１３を開成した時は、第１の蓋体１２と第２の蓋体１３のそれぞれが開口部８より洗浄槽７の後部へ回転し、最終的に洗浄槽７内に第１の蓋体１２と、その内側に第２の蓋体１３の２枚が重なり合って収納されるようになっている。
【００２２】
また、図３に示すように、軸受け部１１は、外側から、洗浄槽７に設けた軸受け部１１ａ、第１の蓋体１２に設けた軸受け部１１ｂ、第２の蓋体１３に設けた軸受け部１１ｃが順に取付けられ、枢軸１６により回転自在に軸支されている。
【００２３】
洗浄槽７の底部には、洗浄水を噴射すると共に回転自在の洗浄ノズル１７と、ヒータ１８が配置されている。
【００２４】
また、第２の蓋体１３の前端には、第１の蓋体１２と同じ半径からなるリップシール部（図示せず）を有するゴム部品で形成した水滴除去手段１９が設けられ、閉成時に開口部８の上端に近接する後端にも、同様のリップシール部を有するゴム部品で形成した第２の水滴除去手段２０を配設され、第１の蓋体１２および第２の蓋体１３の開放動作時に、水滴除去手段１９が第１の蓋体１２の内面に付着した水滴を除去し、第２の水滴除去手段２０が洗浄槽７の内面に付着した水滴を除去するよう構成している。
【００２５】
本実施の形態では、水滴除去手段１９と第２の水滴除去手段２０は、それぞれ第１の蓋体１２および第２の蓋体１３の閉成時に、水滴除去手段１９が第１の蓋体１２と第２の蓋体１３との間のシール部材を、また、第２の水滴除去手段２０が、第２の蓋体１３と洗浄槽７との間のシール部材を兼ねているが、シール部材と水滴除去手段とを別部品で構成しても良い。
【００２６】
また、第２の蓋体１３の最上部の内面に、第２の蓋体１３の閉成時に最上部近傍で略水平状態になる位置に凹凸形状の傾斜面部２１を設けて、第２の蓋体１３の内面に広がる水滴を傾斜面部２１に集めて洗浄ノズル１７の運転停止時に、水滴を洗浄槽７内に滴下させ、第２の蓋体１３内面に付着した水滴量を低減させるようにしている。
【００２７】
上記の構成による食器洗い機の動作、作用は以下の通りである。
【００２８】
第１、第２の蓋体１２、１３の開放動作時に、前方側の第１の蓋体１２の軌跡１２ａが、第２の蓋体１３の軌跡１３ａの外側に位置しているので、回転軌跡が小さい第２の蓋体１３が最上部になり、食器洗い機本体２２の高さを低くすることができ、対面キッチン等のオープンタイプのリビングと一体化しているキッチンに食器洗い機を設置した場合でも、開放感を向上させることができる。
【００２９】
また、食器類９の収容時に、第１の蓋体１２、第２の蓋体１３の両方が洗浄槽７の後部に収容されるため、第１、第２の蓋体１２、１３の開放による設置高さを低くするとともに、２枚の第１、第２の蓋体１２、１３が、重なり合って収容されるため、洗浄ノズル１７や洗浄槽７の底部に当接することなく、開口部８を略平面上にすることができ、食器類９の収容性を向上させることができる。
【００３０】
また、第１、第２の蓋体１２、１３の開放動作時に、水滴除去手段１９および第２の水滴除去手段２０で第１の蓋体１２と洗浄槽７のそれぞれの内面に付着した水滴を除去して、洗浄後の食器に水滴が滴下するのを防止することができるとともに、開成時に、洗浄槽７内に第１の蓋体１２、第２の蓋体１３が収容されるため、運転中に第１の蓋体１２、第２の蓋体１３内部に付着した水滴を機外に漏出するのを防ぐことができる。
【００３１】
また、第２の蓋体１３の最上部の内面に、第２の蓋体１３の閉成時に最上部近傍で略水平状態になる位置に凹凸形状の傾斜面部２１を設けているので、第２の蓋体１３の内面に広がる水滴を傾斜面部２１に集めて洗浄ノズル１７の運転停止時に、水滴を洗浄槽７内に滴下させ、第２の蓋体１３の内面に付着した水滴量を低減させることができる。また、第２の蓋体１３の内面に、部分的に内方に凹凸形状の傾斜面部２１などの構造体が突出しても、第１の蓋体１２の軌跡が、第２の蓋体１３の軌跡の外側に位置しているので、第１、第２の蓋体１２、１３の開閉に支障がなく容易に構成することができる。
【００３２】
このように本実施の形態によれば、上方に開口部８を設けた洗浄槽７と、前記洗浄槽７に設けた一対の軸受け部１１に回動自在に軸支され、前記開口部８を覆うように前後に配置した第１、第２の蓋体１２、１３とを備え、開放動作時に前方側の第１の蓋体１２の軌跡が、第１の蓋体１２の後方に配置した第２の蓋体１３の軌跡の外側に位置するよう構成したことにより、第１、第２の蓋体１２、１３の開放による設置スペースを少なくし、設置性の向上を図るとともに、対面キッチン等のオープンタイプのリビングと一体化しているキッチンに食器洗い機を設置した場合でも、収納できる食器類９の大きさを確保しつつ、食器洗い機の設置高さを低く抑えた開放感の優れた食器洗い機を提供することができる。
【００３３】
また、第１、第２の蓋体１２、１３の開成時に、洗浄槽７内に前方側の第１の蓋体１２と、その内側に第２の蓋体１３を収納するようにしたことにより、第１、第２の蓋体１２、１３の開放時の第１、第２の蓋体１２、１３の上方への移動分の設置高さが必要でなく、開放時でも食器洗い機本体２２の高さを小さくし、より開放感を向上することができる。また、上方への第１、第２の蓋体１２、１３の移動がないことにより、食器類９を収納した食器かご１０の上方への開口面積を大きくすることができ、食器類９の収納および取り出し作業性を良くすることができる。
【００３４】
また、第１、第２の蓋体１２、１３の開放動作時、前方側の第１の蓋体１２の内面の水滴を除去する水滴除去手段１９を第２の蓋体１３に設けたことにより、洗浄ノズル１７から噴射し、第１の蓋体１２の内面に付着した洗浄水が食器かご１０に収納した食器類９に滴下するのを防止できる。
【００３５】
また、第１、第２の蓋体１２、１３の開放動作時、洗浄槽７の内面の水滴を除去する第２の水滴除去手段２０を第２の蓋体１３の後端に設けたことにより、洗浄槽７の内面に付着した洗浄水が食器かご１０に収納した食器類９に滴下するのを防止できる。
【００３６】
なお、第２の水滴除去手段２０を第２の蓋体１３の後端に設ける代わりに、第１の蓋体１２の後端に設けて、洗浄槽７の内面に付着した洗浄水を除去するようにしても良い。
【００３７】
また、第２の蓋体１３の内面の少なくとも一部に凹凸形状の傾斜面部２１を設けたことにより、洗浄工程運転時、略水平状態の角度で保持されている第２の蓋体１３の内面の水滴を凹凸形状の傾斜面部２１の最下部に集めて洗浄槽７内に滴下させ、乾燥工程に入るときの第２の蓋体１３の内面への水滴残りを少なくすることができる。
【００３８】
なお、本実施の形態では蓋体を２枚構成としたが、３枚以上の構成とすることも可能であり、そうした場合においても同様の効果を得ることができる。
【産業上の利用可能性】
【００３９】
以上のように、本発明にかかる食器洗い機は、蓋体の開放による設置スペースを少なくし、設置性の向上を図るとともに、対面キッチン等のオープンタイプのリビングと一体化しているキッチンに食器洗い機を設置した場合でも、収納できる食器類の大きさを確保しつつ、食器洗い機の設置高さが低く、開放感に優れたもので、家庭用の食器洗い機、食器乾燥機等に広く適用できる。
【図面の簡単な説明】
【００４０】
【図１】本発明の実施の形態１における食器洗い機の縦断面図
【図２】同食器洗い機の第１、第２の蓋体開成時の縦断面図
【図３】同食器洗い機の要部断面図
【図４】従来の食器洗い機の縦断面図
【符号の説明】
【００４１】
７    洗浄槽
８    開口部
９    食器類
１２    第１の蓋体（蓋体）
１２ａ  回動軌跡
１３    第２の蓋体（蓋体）
１３ａ  回動軌跡
２２    食器洗い機本体
【図１】
2006255252.tif 000003
【図２】
2006255252.tif 000004
【図３】
2006255252.tif 000005
【図４】
2006255252.tif 000006